(57)【要約】【課題】カメラ付移動通信端末機（カメラホン）の表示窓に案内線を表示することで、撮影すべき被写体の構図を簡便且つ正確に設定すると共に、案内線を利用して被写体を容易に撮影し得るカメラホンの撮影方法を提供する。【解決手段】カメラホンの表示窓に案内線を表示する段階と、表示された案内線を利用して被写体を撮影する段階と、を順次行うことで被写体を撮影する。【選択図】図２
2004343747.tif 000002
【特許請求の範囲】
【請求項１】
カメラ付移動通信端末機の表示窓に案内線を表示する段階と、
前記表示された案内線を利用して被写体を撮影する段階と、
を有することを特徴とするカメラ付移動通信端末機の撮影方法。
【請求項２】
前記案内線は、標準構図案内線で、前記カメラ付移動通信端末機のモードが撮影モードの場合、前記標準構図案内線は、前記表示窓に表示されることを特徴とする請求項１に記載のカメラ付移動通信端末機の撮影方法。
【請求項３】
前記標準構図案内線は、使用者の要求に応じて、種類、形態及び色相が変更されることを特徴とする請求項２に記載のカメラ付移動通信端末機の撮影方法。
【請求項４】
前記案内線は、前記カメラ付移動通信端末機のメモリに予め保存されることを特徴とする請求項１に記載のカメラ付移動通信端末機の撮影方法。
【請求項５】
前記案内線は、水平構図案内線、水平及び垂直構図案内線、対角線構図案内線、並びに三角形構図案内線のうちの何れか一つであるか、または、これらのうちの二つ以上が組み合わせられた構図案内線であることを特徴とする請求項１に記載のカメラ付移動通信端末機の撮影方法。
【請求項６】
前記案内線は、使用者の要求に応じて変更されることを特徴とする請求項１に記載のカメラ付移動通信端末機の撮影方法。
【請求項７】
前記案内線は座標値を有し、前記座標値は前記カメラ付移動通信端末機の方向キーのキー信号に基づいて変更されることを特徴とする請求項１に記載のカメラ付移動通信端末機の撮影方法。
【請求項８】
前記案内線の座標値は、予め決定されたピクセル単位で変更されることを特徴とする請求項７に記載のカメラ付移動通信端末機の撮影方法。
【請求項９】
カメラ付移動通信端末機のモードが撮影モードの場合、前記カメラ付移動通信端末機の表示窓に、予め保存された案内線であって、予め決定されたピクセル単位で変更される座標値を有する案内線を表示する段階と、
前記表示された案内線を利用して被写体を撮影する段階と、
を有することを特徴とするカメラ付移動通信端末機の撮影方法。
【請求項１０】
前記案内線を使用者の要求に応じて多様な種類、形態及び色相に変更する段階が更に包含されることを特徴とする請求項９に記載のカメラ付移動通信端末機の撮影方法。
【請求項１１】
前記案内線を使用者の要求に応じて多様な種類、形態及び色相に変更する段階は、
前記表示された案内線の種類、形態及び色相を使用者の要求に応じて設定する段階と、
前記設定された案内線の座標値を、前記カメラ付移動通信端末機の方向キーのキー信号に基づいて、予め決定されたピクセルの間隔で変更する段階と、
前記座標値が変更された案内線を利用して被写体を撮影する段階と、
を有することを特徴とする請求項１０に記載のカメラ付移動通信端末機の撮影方法。
【請求項１２】
前記方向キーのキー信号が入力されないと、標準構図案内線を利用して被写体を撮影する段階が更に行われることを特徴とする請求項１１に記載のカメラ付移動通信端末機の撮影方法。
【請求項１３】
予め保存された座標値を有する案内線をカメラ付移動通信端末機の表示窓に表示する段階と、
前記表示された案内線の種類、形態及び色相を使用者の要求に応じて設定する段階と、
前記設定された案内線の座標値を、前記カメラ付移動通信端末機の方向キーのキー信号に基づいて、予め決定されたピクセルの間隔で変更する段階と、
前記座標値が変更された案内線を利用して被写体を撮影する段階と、
を有することを特徴とするカメラ付移動通信端末機の撮影方法。
【請求項１４】
前記方向キーのキー信号が入力されないと、標準構図案内線を利用して被写体を撮影する段階が更に行われることを特徴とする請求項１３に記載のカメラ付移動通信端末機の撮影方法。
【発明の詳細な説明】
【技術分野】
【０００１】
本発明は、カメラ付移動通信端末機に係るもので、詳しくは、カメラ付移動通信端末機の撮影方法に関するものである。
【背景技術】
【０００２】
一般に、カメラは、レンズ（Ｌｅｎｓ）を通して撮影しようとする被写体に焦点（Ｆｏｃｕｓ）を合わせて被写体を撮影するものであって、技術の発展に伴い、被写体を撮影してフィルムに記録し、被写体が記録されたフィルムを現像して印画（Ｐｒｉｎｔ）するカメラから、現在は、撮影した被写体をメモリ（Ｍｅｍｏｒｙ）に記録し、メモリに記録された被写体をパソコン（ＰＣ）を通して出力、保存及び編集するデジタルカメラに発展している。
【０００３】
また最近は、従来の移動通信端末機（例えば、特許文献１、２を参照）に対して、携帯が簡便で何時何処でも使用者が撮影しようとする被写体を簡便に撮影し得るように、移動通信端末機（ｍｏｂｉｌｅ  ｃｏｍｍｕｎｉｃａｔｉｏｎ  ｔｅｒｍｉｎａｌ）にカメラが装着されるか、または、移動通信端末機にカメラが内蔵されたカメラホンが開発されている。
【０００４】
韓国においては、カメラ付移動通信端末機を一般に「カメラホン」と呼称しており、以下そのように記す。
以下、このような従来のカメラホンの撮影方法について説明する（例えば、特許文献３を参照）。
【０００５】
まず、使用者は撮影しようとする被写体の構図（ｃｏｍｐｏｓｉｔｉｏｎ）を設定するため、カメラホンを動かしながら大略的な構図を設定し、設定された構図によってカメラホンの表示窓（Ｄｉｓｐｌａｙ  ｕｎｉｔ）に表示された被写体を撮影し、撮影された被写体をカメラホンの内部メモリに保存する。その後、使用者は保存されたファイルを、ＰＣを用いて編集する。
【０００６】
【特許文献１】米国特許第６，１４８，２１５号明細書
【特許文献２】米国特許第６，３１７，６１４号明細書
【特許文献３】特開平１１−２０５７６１号公報
【発明の開示】
【発明が解決しようとする課題】
【０００７】
しかし、このような従来のカメラホンにおいては、被写体の構図を設定するために使用者がカメラホンを動かさなければならないため、被写体の構図の設定に多くの時間がかかるという不都合な点があった。即ち、従来のカメラホンは、被写体の構図を正確に設定することが難しいという問題点があった。
【０００８】
また、従来のカメラホンを通して撮影された被写体は、ＰＣのグラフィックツール（Ｇｒａｐｈｉｃ  ｔｏｏｌ）などによる編集に多くの時間がかかるという問題点があった。
【０００９】
本発明は、このような従来の課題に鑑みてなされたもので、カメラホンの表示窓に案内線（ｇｕｉｄｅｌｉｎｅ）を表示することで、撮影すべき被写体の構図を簡便且つ正確に設定すると共に、案内線を利用して被写体を容易に撮影し得るカメラホンの撮影方法を提供することを目的とする。
【００１０】
また、本発明の他の目的は、カメラホンの表示窓に案内線を表示することで、被写体を正確且つ迅速に撮影し得るカメラ付移動通信端末機（カメラホン）の撮影方法を提供することにある。
【課題を解決するための手段】
【００１１】
このような目的を達成するため、本発明に係るカメラ付移動通信端末機（カメラホン）の撮影方法においては、カメラホンの表示窓に案内線を表示する段階と、前記表示された案内線を利用して被写体を撮影する段階と、を有することを特徴とする。
【００１２】
また、本発明に係るカメラホンの撮影方法においては、カメラホンのモードが撮影モードの場合、前記カメラホンの表示窓に、予め保存された案内線であって、予め決定されたピクセル単位で変更される座標値を有する案内線を表示する段階と、前記表示された案内線を利用して被写体を撮影する段階と、を有することを特徴とする。
【００１３】
また、本発明に係るカメラホンの撮影方法においては、予め保存された座標値を有する案内線をカメラホンの表示窓に表示する段階と、前記表示された案内線の種類、形態及び色相を使用者の要求に応じて設定する段階と、前記設定された案内線の座標値（ｃｏｏｒｄｉｎａｔｅ  ｖａｌｕｅ）を、前記カメラホンの方向キーのキー信号に基づいて、予め決定されたピクセルの間隔で変更する段階と、前記座標値が変更された案内線を利用して被写体を撮影する段階と、を有することを特徴とする。
【発明の効果】
【００１４】
本発明に係るカメラホンの撮影方法においては、カメラホンの表示窓に多様な形態の構図案内線を表示することで、構図案内線を利用して被写体を正確且つ簡便に撮影し得るという効果がある。
【００１５】
また、構図案内線を利用して被写体を正確且つ簡便に撮影することで、ＰＣのグラフィックツールを用いて、構図案内線を利用して撮影された被写体写真を容易且つ迅速に編集し得るという効果がある。
【００１６】
即ち、構図案内線を利用して被写体を撮影すると、撮影された被写体写真の構図が正確に設定されているため、構図案内線を利用して撮影された被写体写真を容易且つ迅速に編集することができる。
【発明を実施するための最良の形態】
【００１７】
以下、カメラホンの表示窓に構図案内線を表示することで、撮影すべき被写体の構図を簡便に設定すると共に、構図案内線を利用して被写体を正確且つ迅速に撮影し得る、本発明に係るカメラホンの撮影方法の実施形態について、図１〜図８に基づいて説明する。
【実施例１】
【００１８】
図１は、本発明に係るカメラホンの撮影方法が適用されたカメラホンを示した斜視図で、図示したように、使用者は、表示窓に表示された構図案内線を方向キーにより調節することで多様な構図案内線を設定し、設定された構図案内線を利用して所望の被写体を正確且つ迅速に撮影することができる。
【００１９】
また、図２は、本発明に係るカメラホンの撮影方法を示したフローチャートで、図示したように、本発明に係るカメラホンの撮影方法においては、カメラホンのモードが撮影モードの場合、カメラホンの表示窓に予め保存された構図案内線を表示する段階と、構図案内線を利用して被写体を撮影する段階と、を順次行う。
【００２０】
且つ、本発明に係るカメラホンの撮影方法は、構図案内線を使用者の要求に応じて多様な種類、形態及び色相に変更する段階を更に包含することもできる。
【００２１】
即ち、構図案内線を使用者の要求に応じて多様な種類、形態及び色相に変更する段階は、表示された構図案内線の種類、形態及び色相を使用者の要求に応じて設定する段階と、設定された構図案内線の座標値を、カメラホンの方向キーのキー信号に基づいて、予め決定されたピクセル（例えば、４ピクセル）の間隔で変更する段階と、座標値が変更された構図案内線を利用して被写体を撮影する段階と、を順次行う。
【００２２】
その際、方向キーのキー信号が入力されないと、標準構図案内線（ｓｔａｎｄａｒｄ  ｃｏｍｐｏｓｉｔｉｏｎ  ｇｕｉｄｅｌｉｎｅ）（例えば、水平構図案内線または水平及び垂直構図案内線）を利用して被写体を撮影する。
【００２３】
以下、このような本発明に係るカメラホンの撮影方法について、図３及び図４に基づいて再び図２を参照して詳細に説明する。
図３及び図４は、本発明に係るカメラホンの撮影方法により撮影された映像を示した例示図である。
【００２４】
まず、図３（Ａ）に示したように、カメラホンのモードが撮影モードであると（ステップＳ１１）、カメラホンの表示窓に被写体を表示する（ステップＳ１２）。
【００２５】
次いで、図３（Ｂ）に示したように、表示された被写体上に標準構図案内線（例えば、水平構図案内線または水平及び垂直構図案内線、図３（Ｂ）には水平構図案内線の場合を図示）を表示する（ステップＳ１３）。
【００２６】
その際、使用者の要求に応じて、表示された被写体上に多様な種類、形態及び色相を有する構図案内線を表示することもできる。
【００２７】
その後、図４（Ａ）に示したように、使用者の要求により方向キーのキー信号が入力されると（ステップＳ１４）、キー信号によって標準構図案内線（この場合、水平構図案内線）の座標値を上／下／左／右方向に変更する（ステップＳ１５）。
【００２８】
その後、図４（Ｂ）に示したように、座標値が変更された構図案内線を利用して被写体を撮影する（ステップＳ１６）。
【００２９】
一方、方向キーのキー信号が入力されないと、標準構図案内線（水平構図案内線）を利用して被写体を撮影する（ステップＳ１７）。
【００３０】
以下、カメラホンの撮影メニュー（図示せず）の構図案内線選択メニュー（図示せず）を通して使用者が選択し得る構図案内線の種類に対し、図５（Ａ）〜（Ｃ）、及び図６（Ａ）〜（Ｃ）に基づいて説明する。
【００３１】
図５（Ａ）〜（Ｃ）、及び図６（Ａ）〜（Ｃ）は、本発明に係るカメラホンの構図案内線の種類を示した例示図で、図５（Ａ）は、水平構図案内線（ｈｏｒｉｚｏｎｔａｌ  ｃｏｍｐｏｓｉｔｉｏｎ  ｇｕｉｄｅｌｉｎｅ）、図５（Ｂ）は、水平及び垂直構図案内線、図５（Ｃ）は、対角線構図案内線、図６（Ａ）は、三角形構図案内線をそれぞれ示したものである。
また、図６（Ｂ）は、図５（Ｂ）の水平及び垂直構図案内線と図５（Ｃ）の対角線構図案内線とを組み合わせた構図案内線、図６（Ｃ）は、図５（Ａ）の水平構図案内線と図６（Ａ）の三角形構図案内線とを組み合わせた構図案内線をそれぞれ示したもので、その際、図５（Ａ）〜（Ｃ）、及び図６（Ａ）の構図案内線は、カメラホンのメモリ（図示せず）に予め保存されるが、図６（Ｂ）及び（Ｃ）の構図案内線もカメラホンのメモリに予め保存されるようにすることができる。
【００３２】
且つ、その際、使用者が構図案内線選択メニューで特定の構図案内線を選択すると、選択された特定の構図案内線がカメラホンの表示窓に表示される。
【００３３】
例えば、選択された特定の構図案内線が図５（Ｂ）の水平及び垂直構図案内線であると、選択された水平及び垂直構図案内線がカメラホンの表示窓に表示される。
また、表示された構図案内線の座標値は、方向キーのキー信号により変更する。
【００３４】
一方、使用者が水平及び垂直構図案内線によっては被写体を撮影しにくい場合は、予め保存された構図案内線を組み合わせることで、図６（Ｂ）及び（Ｃ）に示したように、組み合わせられた構図案内線を表示することができる。
【００３５】
例えば、予め設定された標準構図案内線（例えば、図５（Ｂ）の水平及び垂直構図案内線）では被写体の構図を設定しにくい場合は、多様な構図案内線を組み合わせて新しい構図案内線を表示することで、組み合わせられた新しい構図案内線を利用して被写体の構図を設定し、設定された構図で被写体を撮影することができる。
【００３６】
その際、前記の例に限定されず、多様な構図案内線の種類、形態及び色相を使用者が任意に設定して使用することができる。
【００３７】
即ち、標準構図案内線を利用して被写体を撮影することもできるし、使用者により設定された構図案内線を利用して被写体を撮影することもできる。また、使用者の要求による方向キーのキー信号により構図案内線の座標値を変更し、座標値が変更された構図案内線を利用して被写体を撮影することもできる。
【００３８】
以下、使用者により選択された構図案内線の座標値に対し、図７（Ａ）〜（Ｃ）に基づいて説明する。
【００３９】
図７（Ａ）〜（Ｃ）は、本発明に係るカメラホンの表示窓に表示された構図案内線の座標値を示した説明図であり、使用者により選択された構図案内線の座標値を示したもので、図７（Ａ）は、カメラホンの表示窓に表示された初期構図案内線の座標値を示した説明図、図７（Ｂ）は、初期構図案内線の座標値を基準に、（０，Ｙ’ｓ  ｍａｘ／２）、（Ｘ’ｓ  ｍａｘ，Ｙ’ｓ  ｍａｘ／２）値に設定された、水平構図案内線の座標値を示した説明図、図７（Ｃ）は、初期構図案内線の座標値を基準に、（Ｘ’ｓ  ｍａｘ／２，０）、（０，Ｙ’ｓ  ｍａｘ）、（Ｘ’ｓ  ｍａｘ，Ｙ’ｓ  ｍａｘ）値に設定された、三角形構図案内線の座標値を示した説明図である。
【００４０】
即ち、使用者により選択された構図案内線の座標値を表示窓に表示する。
【００４１】
以下、このように使用者により選択された構図案内線の座標値を方向キーのキー信号により微細に調整する方法について、図８（Ａ）及び（Ｂ）に基づいて説明する。
【００４２】
図８（Ａ）及び（Ｂ）は、本発明に係る構図案内線の座標値の変化を示した例示図で、使用者により方向キーのキー信号が入力されると、キー信号によって以下のように表示窓のピクセル単位で構図案内線の座標値を変更する。
【００４３】
即ち、図８（Ａ）に示したように、カメラホンの方向キーのキー信号によって、使用者により選択された対角線構図案内線の座標値を、上／下／左／右方向に予め決定されたピクセル単位で変更する。その際、構図案内線の座標値は、４ピクセル単位で変更することが好ましい。
【００４４】
また、図８（Ｂ）に示したように、カメラホンの方向キーのキー信号によって、使用者により選択された三角形構図案内線の座標値を、上／下／左／右方向に予め決定されたピクセル単位で変更する。
【００４５】
よって、被写体に適切な構図案内線がカメラホンのメモリに予め保存されていない場合は、使用者が任意に予め保存された構図案内線の種類、形態、色相及び座標値を変更することで、新しい形態の構図案内線を表示窓に表示し、表示された新しい構図案内線を利用して被写体を撮影する。
即ち、カメラホンのメモリに予め保存された構図案内線の他に新しい構図案内線を表示窓に表示することができる。
【００４６】
なお、本発明はの実施例に限られるものではなく、本発明の技術的範囲から逸脱しない範囲で多様に変更して実施することが可能である。
【図面の簡単な説明】
【００４７】
【図１】本発明に係るカメラホンの撮影方法が適用されたカメラホンを示した斜視図である。
【図２】本発明に係るカメラホンの撮影方法を示したフローチャートである。
【図３】（Ａ）、（Ｂ）は、本発明に係るカメラホンの撮影方法により撮影された映像を示した例示図である。
【図４】（Ａ）、（Ｂ）は、本発明に係るカメラホンの撮影方法により撮影された映像を示した例示図である。
【図５】（Ａ）〜（Ｃ）は、本発明に係るカメラホンの構図案内線の種類を示した例示図である。
【図６】（Ａ）〜（Ｃ）は、本発明に係るカメラホンの構図案内線の種類を示した例示図である。
【図７】（Ａ）〜（Ｃ）は、本発明に係るカメラホンの表示窓に表示された構図案内線の座標値を示した説明図である。
【図８】（Ａ）、（Ｂ）は、本発明に係る構図案内線の座標値の変化を示した例示図である。
【図１】
2004343747.tif 000003
【図２】
2004343747.tif 000004
【図３】
2004343747.tif 000005
【図４】
2004343747.tif 000006
【図５】
2004343747.tif 000007
【図６】
2004343747.tif 000008
【図７】
2004343747.tif 000009
【図８】
2004343747.tif 000010